(57)【要約】【課題】通信を行う使用者とその通信の料金を支払う支払い者とが異なる場合に、使用者の利便性を損なうことなく、かつ支払い者は使用者が未知の不審者などと通信することを事前に防ぐことができるようにする新たな通信処理技術の提供を目的とする。【解決手段】着信者電話番号情報が事前許可電話番号情報として登録されているのかを判断して、登録されている場合には、発信者電話番号情報の指す端末機器と着信者電話番号情報の指す端末機器との間の回線を接続する。登録されていない場合には、支払い者の端末機器に対して、通信料金の支払いの判定要求を発行して、その判定結果を受け取り、支払い許可が返答されてくる場合には、その回線の接続を実行し、支払い不許可が返答されてくる場合には、その回線接続を実行することなく、発信者電話番号情報の指す端末機器に対して、その旨を通知する。【選択図】図１
2005167430.tif 000002
【特許請求の範囲】
【請求項１】
通信を行う者とその通信の料金を支払う者とが異なる通信システムで用いられる通信処理方法であって、
端末機器から発信者電話番号情報と着信者電話番号情報とを指定して回線の接続要求が発行されるときに、該着信者電話番号情報が事前に通信を許可する者の電話番号情報として登録されているのか否かを判定する過程と、
上記登録を判定する場合に、上記発信者電話番号情報の指す端末機器と上記着信者電話番号情報の指す端末機器との間の回線を接続する過程と、
上記未登録を判定する場合に、上記発信者電話番号情報の指す端末機器と上記着信者電話番号情報の指す端末機器との間で行われる通信の料金の支払いを許可するのか否かを決定する過程と、
上記通信料金の支払いを許可することを決定する場合に、上記発信者電話番号情報の指す端末機器と上記着信者電話番号情報の指す端末機器との間の回線を接続する過程と、
上記通信料金の支払いを許可しないことを決定する場合に、上記発信者電話番号情報の指す端末機器にその旨を通知する過程とを備えることを、
特徴とする通信処理方法。
【請求項２】
端末機器間の回線の接続を制御する通信処理装置であって、
端末機器から発信者電話番号情報と着信者電話番号情報とを指定して回線の接続要求が発行されるときに、該着信者電話番号情報が事前に通信を許可する者の電話番号情報として登録されているのか否かを判定する手段と、
上記未登録を判定する場合に、上記発信者電話番号情報の指す端末機器についての通信料金の支払い者となる者の端末機器に対して、上記発信者電話番号情報と上記着信者電話番号情報とを指定して通信料金の支払いの判定要求を発行する手段と、
上記登録を判定する場合と、上記支払いの判定要求に応答して通信料金の支払い許可が返答されてくる場合に、上記発信者電話番号情報の指す端末機器と上記着信者電話番号情報の指す端末機器との間の回線を接続する手段と、
上記支払いの判定要求に応答して通信料金の支払い不許可が返答されてくる場合に、上記発信者電話番号情報の指す端末機器にその旨を通知する手段とを備えることを、
特徴とする通信処理装置。
【請求項３】
発信者電話番号情報の指す端末機器と着信者電話番号情報の指す端末機器との間の回線の接続を制御する通信処理装置に接続される端末機器であって、
上記通信処理装置から発信者電話番号情報と着信者電話番号情報とを指定して発行される通信料金の支払いの判定要求を受信する手段と、
上記通信料金の支払いの判定要求を出力して、それに対する入力を受け取ることで、上記指定される発信者電話番号情報の指す端末機器と上記指定される着信者電話番号情報の指す端末機器との間の回線の接続を許可するのか、あるいは不許可にするのかを決定する手段と、
上記許可・不許可についての決定情報を上記通信処理装置に送信する手段とを備えることを、
特徴とする端末機器。
【請求項４】
請求項３に記載の端末機器において、
事前に通信を許可する者の電話番号情報を設定する手段と、
上記設定した電話番号情報を上記通信処理装置に登録する手段とを備えることを、
特徴とする端末機器。
【請求項５】
端末機器間の回線の接続を制御する通信処理装置の実現に用いられる通信処理装置用プログラムであって、
端末機器から発信者電話番号情報と着信者電話番号情報とを指定して回線の接続要求が発行されるときに、該着信者電話番号情報が事前に通信を許可する者の電話番号情報として登録されているのか否かを判定する処理と、
上記未登録を判定する場合に、上記発信者電話番号情報の指す端末機器についての通信料金の支払い者となる者の端末機器に対して、上記発信者電話番号情報と上記着信者電話番号情報とを指定して通信料金の支払いの判定要求を発行する処理と、
上記登録を判定する場合と、上記支払いの判定要求に応答して通信料金の支払い許可が返答されてくる場合に、上記発信者電話番号情報の指す端末機器と上記着信者電話番号情報の指す端末機器との間の回線を接続する処理と、
上記支払いの判定要求に応答して通信料金の支払い不許可が返答されてくる場合に、上記発信者電話番号情報の指す端末機器にその旨を通知する処理とをコンピュータに実行させるための通信処理装置用プログラム。
【請求項６】
端末機器間の回線の接続を制御する通信処理装置の実現に用いられる通信処理装置用プログラムを記録した記録媒体であって、
端末機器から発信者電話番号情報と着信者電話番号情報とを指定して回線の接続要求が発行されるときに、該着信者電話番号情報が事前に通信を許可する者の電話番号情報として登録されているのか否かを判定する処理と、
上記未登録を判定する場合に、上記発信者電話番号情報の指す端末機器についての通信料金の支払い者となる者の端末機器に対して、上記発信者電話番号情報と上記着信者電話番号情報とを指定して通信料金の支払いの判定要求を発行する処理と、
上記登録を判定する場合と、上記支払いの判定要求に応答して通信料金の支払い許可が返答されてくる場合に、上記発信者電話番号情報の指す端末機器と上記着信者電話番号情報の指す端末機器との間の回線を接続する処理と、
上記支払いの判定要求に応答して通信料金の支払い不許可が返答されてくる場合に、上記発信者電話番号情報の指す端末機器にその旨を通知する処理とをコンピュータに実行させるための通信処理装置用プログラムを記録した記録媒体。
【請求項７】
発信者電話番号情報の指す端末機器と着信者電話番号情報の指す端末機器との間の回線の接続を制御する通信処理装置に接続される端末機器の実現に用いられる端末機器用プログラムであって、
上記通信処理装置から発信者電話番号情報と着信者電話番号情報とを指定して発行される通信料金の支払いの判定要求を受信する処理と、
上記通信料金の支払いの判定要求を出力して、それに対する入力を受け取ることで、上記指定される発信者電話番号情報の指す端末機器と上記指定される着信者電話番号情報の指す端末機器との間の回線の接続を許可するのか、あるいは不許可にするのかを決定する処理と、
上記許可・不許可についての決定情報を上記通信処理装置に送信する処理とをコンピュータに実行させるための端末機器用プログラム。
【請求項８】
発信者電話番号情報の指す端末機器と着信者電話番号情報の指す端末機器との間の回線の接続を制御する通信処理装置に接続される端末機器の実現に用いられる端末機器用プログラムを記録した記録媒体であって、
上記通信処理装置から発信者電話番号情報と着信者電話番号情報とを指定して発行される通信料金の支払いの判定要求を受信する処理と、
上記通信料金の支払いの判定要求を出力して、それに対する入力を受け取ることで、上記指定される発信者電話番号情報の指す端末機器と上記指定される着信者電話番号情報の指す端末機器との間の回線の接続を許可するのか、あるいは不許可にするのかを決定する処理と、
上記許可・不許可についての決定情報を上記通信処理装置に送信する処理とをコンピュータに実行させるための端末機器用プログラムを記録した記録媒体。
【発明の詳細な説明】
【技術分野】
【０００１】
本発明は、ある端末機器の通信料金を支払う義務のある者（以下、支払い者と称する）と、この支払い者が通信料金を支払っている端末機器を実際に使用している者（以下、使用者と称する）とが異なる場合に、支払い者が使用者による通信状況を監視し制御できるようにする通信処理方法と、その通信処理方法の実現に用いられる通信処理装置および端末機器と、その通信処理装置の実現に用いられる通信処理装置用プログラムおよびそのプログラムを記録した記録媒体と、その端末機器の実現に用いられる端末機器用プログラムおよびそのプログラムを記録した記録媒体とに関する。
【背景技術】
【０００２】
ある携帯電話の通話料金の支払い者とその携帯電話の使用者とが異なる場合（具体的な典型例は、支払い者が親であり、使用者がその未成年の子である場合）において、従来では、支払い者が使用者の通話状況を制御する手段としては、あらかじめ携帯電話が通話できる相手側電話番号を固定的に登録しておき、それ以外の電話番号の相手とは通話ができないようにするという方法が用いられていた。
【０００３】
あるいは、一定期間の過去の使用者の通話状況を電話会社から支払い者に通知するという方法が用いられていた。
【発明の開示】
【発明が解決しようとする課題】
【０００４】
しかしながら、あらかじめ携帯電話が通話できる相手側電話番号を固定的に登録しておき、それ以外の電話番号の相手とは通話ができないようにするという方法を用いていると、使用者はあらかじめ固定的に登録した電話番号の電話機としか通話できないため、支払い者にとっては、使用者が未知の不審者など好ましくない相手と通話することを防ぐことができるものの、使用者にとっては、特定の相手としか通話できなくなるため、その利便性をいちじるしく阻害されるという問題点を有していた。
【０００５】
また、一定期間の過去の使用者の通話状況を電話会社から支払い者に通知するという方法を用いていると、支払い者は使用者の通話状況を事後に確認することは可能であり、使用者の利便性が損なわれることもない。しかし、この通知の時点において、すでに通話は完了しており、支払い者は事前に使用者が未知の不審者と通話することを防げるわけではなく、さらに支払い者は自分の意志に関わりなく電話会社に対する支払い義務が発生してしまうという問題点があった。
【０００６】
以上述べたように、従来技術では、携帯電話の使用者と支払い者とが異なる場合において、使用者の利便性を損なうことなく、かつ、支払い者が、使用者が未知の不審者などと通話することを事前に防ぐことが不可能であった。
【０００７】
本発明はかかる事情に鑑みてなされたものであって、通信を行う使用者とその通信の料金を支払う支払い者とが異なる場合に、使用者の利便性を損なうことなく、かつ支払い者は使用者が未知の不審者などと通信することを事前に防ぐことができるようにする新たな通信処理技術の提供を目的とする。
【課題を解決するための手段】
【０００８】
この目的を達成するために、本発明の通信処理方法は、通信を行う者とその通信の料金を支払う者とが異なる場合に、（イ）端末機器から発信者電話番号情報（通信を行う者の電話番号情報）と着信者電話番号情報（通信相手の電話番号情報）とを指定して回線の接続要求が発行されるときに、その着信者電話番号情報が事前に通信を許可する者の電話番号情報として登録されているのか否かを判定する過程と、（ロ）着信者電話番号情報が事前に通信を許可する者の電話番号情報として登録されていることを判定する場合に、発信者電話番号情報の指す端末機器と着信者電話番号情報の指す端末機器との間の回線を接続する過程と、（ハ）着信者電話番号情報が事前に通信を許可する者の電話番号情報として登録されていないことを判定する場合に、発信者電話番号情報の指す端末機器と着信者電話番号情報の指す端末機器との間で行われる通信の料金の支払いを許可するのか否かを決定する過程と、（ニ）通信料金の支払いを許可することを決定する場合に、発信者電話番号情報の指す端末機器と着信者電話番号情報の指す端末機器との間の回線を接続する過程と、（ホ）通信料金の支払いを許可しないことを決定する場合に、発信者電話番号情報の指す端末機器にその旨を通知する過程とを備えるように構成する。
【０００９】
このように構成される本発明の通信処理方法の実現に用いられる本発明の通信処理装置は、（イ）端末機器から発信者電話番号情報と着信者電話番号情報とを指定して回線の接続要求が発行されるときに、着信者電話番号情報が事前に通信を許可する者の電話番号情報として登録されているのか否かを判定する判定手段と、（ロ）判定手段が未登録を判定する場合に、発信者電話番号情報の指す端末機器についての通信料金の支払い者となる者の端末機器に対して、発信者電話番号情報と着信者電話番号情報とを指定して通信料金の支払いの判定要求を発行する発行手段と、（ハ）判定手段が登録を判定する場合と、発行手段の発行した支払いの判定要求に応答して通信料金の支払い許可が返答されてくる場合に、発信者電話番号情報の指す端末機器と着信者電話番号情報の指す端末機器との間の回線を接続する接続手段と、（ニ）発行手段の発行した支払いの判定要求に応答して通信料金の支払い不許可が返答されてくる場合に、発信者電話番号情報の指す端末機器にその旨を通知する通知手段とを備えるように構成する。
【００１０】
本発明の通信処理装置が備える以上の各処理手段はコンピュータプログラムで実現できるものであり、このコンピュータプログラムは、半導体メモリなどの記録媒体に記録して提供したり、ネットワークを介して提供することができる。
【００１１】
また、このように構成される本発明の通信処理方法の実現に用いられる本発明の端末機器は、（イ）本発明の通信処理装置から発信者電話番号情報と着信者電話番号情報とを指定して発行される通信料金の支払いの判定要求を受信する受信手段と、（ロ）受信手段の受信した通信料金の支払いの判定要求を出力して、それに対する入力を受け取ることで、通信料金の支払いの判定要求で指定された発信者電話番号情報の指す端末機器と通信料金の支払いの判定要求で指定された着信者電話番号情報の指す端末機器との間の回線の接続を許可するのか、あるいは不許可にするのかを決定する決定手段と、（ハ）決定手段の決定した許可・不許可についての決定情報を本発明の通信処理装置に送信する送信手段と、（ニ）事前に通信を許可する者の電話番号情報を設定する設定手段と、（ホ）設定手段の設定した電話番号情報を本発明の通信処理装置に登録する登録手段とを備えるように構成する。
【００１２】
本発明の端末機器が備える以上の各処理手段はコンピュータプログラムで実現できるものであり、このコンピュータプログラムは、半導体メモリなどの記録媒体に記録して提供したり、ネットワークを介して提供することができる。
【００１３】
このように構成される本発明では、通信を行う者とその通信の料金を支払う者とが異なる場合にあって、端末機器の使用者は、事前に電話番号を登録した者とは支払い者の許可を得ることなく自由に通信することができ、事前に電話番号を登録していない者と通信しようとする場合にのみ支払い者の許可を得ればよいことなる。
【発明の効果】
【００１４】
このようにして、本発明によれば、通信を行う者とその通信の料金を支払う者とが異なる場合において、端末機器の使用者の利便性を損なうことなく、かつ支払い者は使用者が未知の不審者などと通信することを事前に防ぐことができるようになる。
【発明を実施するための最良の形態】
【００１５】
以下、実施の形態に従って本発明を詳細に説明する。
【００１６】
先ず最初に、図１に従って、本発明の概要について説明する。
【００１７】
本発明では、使用者が通話相手と通話を行う場合、図１の（１）に示すように、使用者は端末機器（携帯電話機や固定電話機など）から通話相手の電話番号（着信者電話番号）を電話会社の通信処理装置に発信する。
【００１８】
これを受けて、電話会社の通信処理装置は、使用者の端末機器と通話相手の端末機器（携帯電話機や固定電話機など）との回線接続を行う前に、図１の（２）に示すように、使用者の発信者電話番号および通話相手の着信者電話番号を、通話料金を支払う支払い者の端末機器（携帯電話機や固定電話機など）に通知する。
【００１９】
これを受けて、支払い者が使用者の通知してきた発信者電話番号および着信者電話番号を端末機器上で確認し、その通話を許可するのか許可しないのかを判断する。そして、図１の（３）に示すように、その判断結果を電話会社の通信処理装置に返答する。
【００２０】
これを受けて、電話会社の通信処理装置は、通話を許可する旨の情報を受信すると、図１の（４）に示すように、使用者の端末機器と通話相手の端末機器との通話が可能となるように回線接続を行う。一方、通話を許可しない旨の情報を受信する場合には、使用者の端末機器と通話相手の端末機器との間の回線接続を行わずに、図１の（５）に示すように、使用者の端末機器にその旨を通知する。
【００２１】
したがって、使用者は、誰かと通話を行おうと自分の携帯電話機などの端末機器から通話相手の端末機器の電話番号（着信者電話番号）を発信しても、自分がこれから通話しようとしている相手の電話番号が支払い者に通知され、支払い者の許可が得られなければ通話相手と通話することが出来なくなるので、支払い者は、使用者が未知の不審者などと通話することを事前に防止することが可能となる。また、使用者も、支払い者の許可さえ得ることができれば、これ以外に制限を受けることなく自由に通話相手と通話することが可能となる。
【００２２】
ただし、このままでは、使用者は親兄弟など常に頻繁に通話する通話相手と通話を行おうとする際にも、逐一、支払い者の許可を得る必要が生じてしまい、使用者の利便性を損なう面があるばかりか、支払い者にとっても、このような安全な既知の通話相手と使用者との間の通話にまでいちいち許可を与えることは煩わしい。
【００２３】
そこで、あらかじめ支払い者が、使用者が自由に通話してよい通話相手の電話番号を通信処理装置に登録しておき、使用者が通話相手の端末機器の電話番号（着信者電話番号）を発信すると、通信処理装置は、着信者電話番号を事前に登録された「使用者が自由に通話してよい通話相手の電話番号」と比較し、もし着信者電話番号が事前に登録された「使用者が自由に通話してよい通話相手の電話番号」のいずれかと一致するのであれば、支払い者の許可を得ることなく、使用者と通話相手の端末機器との回線を接続し、もしいずれにも一致しないのであれば、図１に示す（２)(３）の処理を行って、支払い者の許可が得られれば使用者と通話相手の端末機器との回線を接続し、得られなければ、その回線を接続しないようにする。
【００２４】
このようにすることで、使用者は、事前に電話番号を登録した安全な既知の通話相手とは支払い者の許可を得ることなく自由に通話を行うことができ、事前に登録していない通話相手と通話しようとする場合のみ、支払い者の許可を得ればよいことになるから、必要以上に使用者の利便性を損なうことなく、かつ支払い者は使用者が未知の不審な通話相手と通話することを防止することが可能となる。
【００２５】
次に、図２に示す本発明の一実施形態例に従って、本発明について詳細に説明する。
【００２６】
図中、１は支払い者の端末機器、２は使用者の端末機器、３は通話相手の端末機器、４は通信網、５は通信処理装置である。
【００２７】
通信処理装置５は、通信処理部５０、着信者電話番号情報一時保持部５１、発信者電話番号情報一時保持部５２、支払い許可判定部５３および事前登録判定部５４を備える。
【００２８】
一方、支払い者の端末機器１は、通信制御部１０、支払い許可処理部１１、出力部１２および入力部１３を備える。
【００２９】
通信処理部５０は、電話会社などの一般的な通信事業会社が保有する基地局、中継交換機などから構成される一般的な通信処理設備であり、有線もしくは無線の通信網４を介した携帯電話端末や固定電話端末の回線接続制御機能を有している。
【００３０】
事前登録判定部５４は、事前登録判定処理部５４０と事前許可番号蓄積部５４１とにより構成される。
【００３１】
この事前許可番号蓄積部５４１には、図３に示すように、使用者が支払い者の許可を得ることなく自由に通話してよいすべての通話相手の端末機器３の電話番号情報（事前許可電話番号情報と称する）が、使用者の端末機器２の電話番号および支払い者の端末機器１の電話番号情報と対応付けられて、あらかじめ蓄積されているものとする。
【００３２】
ここで、この事前許可番号蓄積部５４１に蓄積される事前許可電話番号情報については、支払い者が端末機器２と対話することで設定して、端末機器２を介して、事前許可番号蓄積部５４１に登録することで蓄積されることになる。
【００３３】
本装置を動作させるには、まず使用者が自分の端末機器２から、通話相手の電話番号情報（着信者電話番号情報）を入力する。その着信者電話番号情報は、通信網４を介して、通信処理部５０に送信される。このとき、使用者の電話番号情報（発信者電話番号情報）についても通信処理部５０に送信される。
【００３４】
通信処理部５０は、使用者から通話相手の着信者電話番号情報を受信すると、それを着信者電話番号情報一時保持部５１に蓄積し、その着信者電話番号情報が発信された使用者の端末機器２の電話番号情報（発信者電話番号情報）を発信者電話番号情報一時保持部５２に蓄積するとともに、その発信者電話番号情報とその着信者電話番号情報とを事前登録判定部５４の事前登録判定処理部５４０に出力する。
【００３５】
これを受けて、事前登録判定処理部５４０は、入力された発信者電話番号情報に対応付けて事前許可番号蓄積部５４１にあらかじめ蓄積されているすべての事前許可電話番号情報を読み出し、その中に、入力された着信者電話番号情報に該当するものがあるかを判定する。
【００３６】
この判定により、もし該当するものがあれば、事前登録判定処理部５４０は、通話許可情報を通信処理部５０に出力し、これを受けて、通信処理部５０は、通話許可情報が入力されると、発信者電話番号情報一時保持部５２から発信者電話番号情報を読み出し、さらに着信者電話番号情報一時保持部５１から着信者電話番号情報を読み出して、その読み出した発信者電話番号情報に対応する使用者の端末機器２と、その読み出した着信者電話番号情報に対応する通話相手の端末機器３とが通信網４を介して通話可能となるように回線接続を行う。
【００３７】
一方、この判定により、もし該当するものがなければ、事前登録判定処理部５４０は、該当なし情報と、入力された発信者電話番号情報に対応付けて事前許可番号蓄積部５４１にあらかじめ蓄積されている支払い者の端末機器１の電話番号情報とを支払い許可判定部５３に出力する。
【００３８】
これを受けて、支払い許可判定部５３は、該当なし情報および支払い者の電話番号情報が入力されると、支払い判定要求情報およびその支払い者の電話番号情報を通信処理部５０に出力する。
【００３９】
通信処理部５０は、支払い判定要求情報および支払い者の電話番号情報が入力されると、発信者電話番号情報一時保持部５２から発信者電話番号情報を読み出し、さらに着信者電話番号情報一時保持部５１から着信者電話番号情報を読み出して、通信網４を介して、その支払い者の電話番号情報に対応する支払い者の端末機器１の通信制御部１０に対して、その支払い判定要求情報と、その読み出した発信者電話番号情報および着信者電話番号情報とを送信する。
【００４０】
これを受けて、支払い者の端末機器１の通信制御部１０は、支払い判定要求情報、発信者電話番号情報および着信者電話番号情報が送信されてくると、それを受信して、自機器の支払い許可処理部１１に対して、その発信者電話番号情報および着信者電話番号情報を出力する。
【００４１】
支払い者の端末機器１の支払い許可処理部１１は、発信者電話番号情報および着信者電話番号情報が入力されると、自機器の出力部１２に対して、その発信者電話番号情報および着信者電話番号情報と、支払いを許可するか否かを問う情報とを出力する。
【００４２】
これを受けて、支払い者は、出力部１２に出力された発信者電話番号情報および着信者電話番号情報を見て、通話料金の支払いを許可するか否かを判断して、許可する場合には許可する旨の情報を、許可しない場合には許可しない旨の情報を入力部１３を介して入力する。
【００４３】
支払い者の端末機器１の入力部１３は、支払いを許可する旨の情報あるいは許可しない旨の情報を受け取ると、自機器の支払い許可処理部１１を介してそれを自機器の通信制御部１０に出力し、これを受けて、通信制御部１０は、通信網４を介して、通信処理部５０に対して、支払いを許可する旨の情報あるいは許可しない旨の情報を返信し、これを受けて、通信処理部５０は、支払いを許可する旨の情報あるいは許可しない旨の情報を支払い許可判定部５３に出力する。
【００４４】
支払い許可判定部５３は、支払いを許可する旨の情報が入力された場合には通話許可情報を通信処理部５０に出力し、一方、支払いを許可しない旨の情報が入力された場合には通話不許可情報を通信処理部５０に出力する。
【００４５】
これを受けて、通信処理部５０は、通話許可情報が入力されると、発信者電話番号情報一時保持部５２から発信者電話番号情報を読み出し、さらに着信者電話番号情報一時保持部５１から着信者電話番号情報を読み出して、その読み出した発信者電話番号情報に対応する使用者の端末機器２と、その読み出した着信者電話番号情報に対応する通話相手の端末機器３とが通信網４を介して通話可能となるように回線接続を行う。
【００４６】
一方、通信処理部５０は、通話不許可情報が入力されると、発信者電話番号情報一時保持部５２から発信者電話番号情報を読み出して、通信網４を介して、その読み出した発信者電話番号情報に対応する使用者の端末機器２に対して、回線接続が支払い者によって否決された旨の情報を送信し、回線接続を行わないように処理する。
【００４７】
このようにして、通信処理装置５は、使用者の端末機器２から発信者電話番号情報と着信者電話番号情報とを指定して通話要求が発行されると、図４の処理フローに示すように、その発信者電話番号情報と着信者電話番号情報とを受信して、その受信した着信者電話番号情報が事前許可電話番号情報として登録されているのか否かをチェックして、登録されていることを判断するときには、その受信した発信者電話番号情報とその受信した着信者電話番号情報との間の回線を接続して、処理を終了する。
【００４８】
一方、登録されていないことを判断するときには、支払い者の端末機器１に対して、受信した発信者電話番号情報と受信した着信者電話番号情報とを指定して、通話料金の支払いの判定要求を発行する。
【００４９】
この通話料金の支払いの判定要求を受け取ると、支払い者の端末機器１は、図５の処理フローに示すように、その発信者電話番号情報と着信者電話番号情報とを受信して、それを支払い者に提示し、通話料金の支払いを許可するのかを問い合わせて、その問い合わせ結果を通信処理装置５に返答してくる。
【００５０】
これから、通信処理装置は、図４の処理フローに示すように、支払い者の端末機器１から通話料金の支払い許可が返答されてくる場合には、受信した発信者電話番号情報と受信した着信者電話番号情報との間の回線を接続して、処理を終了する。
【００５１】
一方、支払い者の端末機器１から通話料金の支払い不許可が返答されてくる場合には、受信した発信者電話番号情報と受信した着信者電話番号情報との間の回線の接続を行うことなく、通話要求を発行してきた使用者の端末機器２に対して、通話料金の支払いの不許可を通知して、処理を終了する。
【００５２】
以上に説明した処理に従って、本発明では、通話を行う者とその通話の料金を支払う者とが異なる場合にあって、端末機器の使用者は、事前に電話番号を登録した者とは支払い者の許可を得ることなく自由に通話することができ、事前に電話番号を登録していない者と通話しようとする場合にのみ支払い者の許可を得ればよいことなる。
【図面の簡単な説明】
【００５３】
【図１】本発明の概要について説明する図である。
【図２】本発明の一実施形態例である。
【図３】事前許可番号蓄積部に蓄積される情報の説明図である。
【図４】通信処理装置の実行する処理フローの一実施形態例である。
【図５】支払い者の端末機器の実行する処理フローの一実施形態例である。
【符号の説明】
【００５４】
１      端末機器
２      端末機器
３      端末機器
４      通信網
５      通信処理装置
１０    通信制御部
１１    支払い許可処理部
１２    出力部
１３    入力部
５０    通信処理部
５１    着信者電話番号情報一時保持部
５２    発信者電話番号情報一時保持部
５３    支払い許可判定部
５４    事前登録判定部
５４０  事前登録判定処理部
５４１  事前許可番号蓄積部
【図１】
2005167430.tif 000003
【図２】
2005167430.tif 000004
【図３】
2005167430.tif 000005
【図４】
2005167430.tif 000006
【図５】
2005167430.tif 000007